(57)【要約】    【課題】伸縮性に富み、腹に装着時、腹当て重ね部分が体のラインに倣って横方向に真っ直ぐに導かれるようにする。    【解決手段】背面部２と腹当て重ね部８，１０とを二重にして中に羽毛１２を充填する。背面部２、伸縮部４，６及び腹当て重ね部８，１０を腹部に巻き、腹当て重ね部８，１０の先端部分を腹部の略中央で重ね合わせ該重ね合わせ部分を脱着自在な止着具１８，２０で止める。腹当て重ね部８，１０が腰部の膨らみに倣って下向きとなる角度と相殺するように、腹当て重ね部８，１０を背面部２の側方に対して上向きに角度αを有して伸縮部４，６に接続している。腹当て重ね部８，１０は腹部に巻いたとき体のラインに導かれ、先端近傍部分が横方向に真っ直ぐに向く。【選択図】図１
0003139620.tif 000002
【実用新案登録請求の範囲】
【請求項１】
横方向に長い四角形状の背面部２と、該背面部２の両側に接続する伸縮自在な一対の伸縮部４，６と、先端近傍の重ね合わせ部分に脱着自在な止着具が設けられ前記伸縮部４，６にそれぞれ接続された一対の腹当て重ね部８，１０とから成り、前記背面部２と腹当て重ね部８，１０とを二重にして中に羽毛１２を充填し、前記背面部２、伸縮部４，６及び腹当て重ね部８，１０を腹部に巻き、腹当て重ね部８，１０を腹部の略中央で重ね合わせ該重ね合わせ部分を脱着自在な止着具で止めたとき、前記腹当て重ね部８，１０が腰部の膨らみに倣って下向きとなる角度と相殺するように、前記腹当て重ね部８，１０を前記背面部２の側方に対して上向きに角度αを有して前記伸縮部４，６に接続し、前記腹当て重ね部８，１０を腹部に巻いたとき横方向に真っ直ぐに向くようにしたことを特徴とする羽毛入り腹巻き。
【請求項２】
前記伸縮部４，６をゴム材により構成したことを特徴とする請求項１に記載の腹巻き。
【請求項３】
前記止着具を面ファスナー１８，２０で構成したことを特徴とする請求項１に記載の羽毛入り腹巻き。
【考案の詳細な説明】
【技術分野】
【０００１】
本考案は、羽毛入り腹巻きに関する。
【背景技術】
【０００２】
人の腹部に装着して腹部を覆う布部材を袋体とし、当該袋体内に羽毛を封入した羽毛挿入型腹巻きが従来知られている（例えば特許文献１参照）。
【特許文献１】実開昭６３−１９９１０５号公報
【考案の開示】
【考案が解決しようとする課題】
【０００３】
従来、羽毛を充填した腹巻きは、伸縮性がなく、体にぴったりとフィットさせるのに適しなかった。また、腹巻きの両端を開放し、腹の中央で両端を重ね合わせて面ファスナーなどにより重ね合わせ部分を止める構成とした場合、かさね合わせ部分がウェストと腰との境界の出っ張りにより下方に向いてしまい、腹巻きを腹に巻いたときかさね合わせ部分が、腹の中央で横方向にまっすぐに向かないという問題点がある。
本考案は上記問題点を解決することを目的とする。
【課題を解決するための手段】
【０００４】
上記目的を達成するため本考案は、横方向に長い四角形状の背面部２と、該背面部２の両側に接続する伸縮自在な一対の伸縮部４，６と、先端近傍の重ね合わせ部分に脱着自在な止着具が設けられ前記伸縮部４，６にそれぞれ接続された一対の腹当て重ね部８，１０とから成り、前記背面部２と腹当て重ね部８，１０とを二重にして中に羽毛１２を充填し、前記背面部２、伸縮部４，６及び腹当て重ね部８，１０を腹部に巻き、腹当て重ね部８，１０を腹部の略中央で重ね合わせ該重ね合わせ部分を脱着自在な止着具で止めたとき、前記腹当て重ね部８，１０が腰部の膨らみに倣って下向きとなる角度と相殺するように、前記腹当て重ね部８，１０を前記背面部２の側方に対して上向きに角度αを有して前記伸縮部４，６に接続し、前記腹当て重ね部８，１０を腹部に巻いたとき横方向に真っ直ぐに向くようにしたものである。
また本考案前記伸縮部４，６をゴム材により構成したものである。
また本考案は、前記止着具を面ファスナー１８，２０で構成したものである。
【考案の効果】
【０００５】
本考案は、背面部と腹当て重ね部とを天然ゴムなどからなる伸縮部を介して接続したので、伸縮部の伸縮性により腹巻きを体に密着させることができ、しかも腰の出っ張りを考慮して、腹当て重ね部を上向きに傾斜させて伸縮部に接続したので、腹当て重ね部を横方向に真っ直ぐに巻き付けることができる。
【考案を実施するための最良の形態】
【０００６】
以下に本考案の実施の形態を添付した図面を参照して詳細に説明する。
本考案に係る腹巻きは、横方向に長い略四角形状の背面部２と一対の伸縮部４，６と横方向に長い略四角形状の一対の腹当て重ね部８，１０とから構成されている。腹当て重ね部８，１０には脱着自在な止着具を構成する面ファスナー１８，２０が縫着されている。
【０００７】
背面部２の下部は、伸縮部４，６の下辺よりも下方に延長され、延長部２ａを構成し、この延長部２ａの幅だけ、背面部２の縦方向の幅は、伸縮部４，６や腹当て重ね部８，１０の縦方向の幅よりも広く設定されている。伸縮部４，６と腹当て重ね部８，１０の縦方向の幅は略同一である。
【０００８】
背面部２と腹当て重ね部８，１０は、ポリエステルやポリエステルの混じった綿などの生地から成る表地と裏地の二重袋構造となっており、この二重構造によって表地と裏地の間に形成される収納部に図３に示すように、羽毛１２が密集して充填配置されている。
【０００９】
背面部２の、前記表地と裏地間の、羽毛１２が充填された収納部は、該表地と裏地を升目状に縫着する縫い目１４によって、羽毛１２の移動を阻止し、背面部２の全域にわたって羽毛１２が均一に配置されるようにしている。ポリエステル１００％と天然ゴムなどの素材から成る伸縮部４，６は、背面部２の両側と腹当て重ね部８，１０とを縫合により結合している。
【００１０】
尚、伸縮部４，６はニットやリブ編みによる素材を用いるようにしても良い。前記腹当て重ね部８，１０の上辺及び下辺は、背面部２の対応する上辺及び下辺に対して上向きに角度αを有して、伸縮部４，６の側部に接続している。腹当て重ね部８，１０の、背面部２に対して成す角度αは、人の腰の、ウエストに対する出っ張りの角度に対応している。
【００１１】
この角度αにより、図２に示すように、腹巻きを腹に巻くと体の曲面に倣って腹当て重ね部８，１０が腹の前に導かれ、腹の前で水平即ち横方向に真っ直ぐとなる。横方向に真っ直ぐに腹の前に導かれた腹当て重ね部８，１０は、面ファスナー１８，２０の付いた先端近傍部分が重ね合わされ、面ファスナー１８，２０で留められる。
【００１２】
もし、腹当て重ね部８，１０が、背面部２に対して、上向きに傾斜して結合していないと、腹巻きを腹に巻いたとき、ウエストのくびれ部分から腰にかけてての出っ張りによって、腹当て重ね部８，１０が腹の前で下向きに導かれ、図２のように水平に巻くことができない。
【図面の簡単な説明】
【００１３】
【図１】本考案に係る腹巻きの展開正面図である。
【図２】腹巻きを体に装着した状態の正面図である。
【図３】Ａ−Ａ線断面図である。
【符号の説明】
【００１４】
２      背面部
４      伸縮部
６      伸縮部
８      腹当て重ね部
１０    腹当て重ね部
１２    羽毛
１４    縫い目
１６    人
１８    面ファスナー
２０    面ファスナー
【図１】
0003139620.tif 000003
【図２】
0003139620.tif 000004
【図３】
0003139620.tif 000005